(57)【要約】【課題】  撮影中に主電源が外れても撮影処理を完了することができる。【解決手段】  検出手段２２は常時、電源線５９Ａの電圧検出を行っている。主電源７８がデジタルカメラ１０から離脱したことを検出手段２２が検出すると、検出手段２２はＣＰＵ５０に検出信号を出力し、ＣＰＵ５０は切換制御部７２に制御信号を出力する。これを受けて切換制御部７２は切換手段７４に切換信号を出力し、切換手段７４が導通状態になることで、副電源７６の電力が電源線５９Ａに供給される。副電源７６は、撮影処理を完了するまでに必要な容量を有しているので、主電源７８が離脱した場合であっても、電源遮断による処理中断が発生することなく、撮影処理を完了できる。【選択図】  図２
2006080718.tif 000002
【特許請求の範囲】
【請求項１】
装置本体を駆動させるために着脱可能な電池で構成された主電源が装置本体から離脱したことを検出する検出手段と、
撮影処理を完了するまでに必要な、予め定めた容量を少なくとも有する副電源と、
前記装置本体を駆動させるための電源として主電源を副電源に切り換える切換手段と、
前記電池が装置本体から離脱したことを検出されると、主電源を副電源に切り換えるように切換手段を制御する切換制御手段と、
を備えた撮影装置。
【請求項２】
前記副電源は画像処理、画像転送、メモリ書き込み処理の少なくとも一つの処理に必要な、予め定めた容量を少なくとも有することを特徴とする請求項１に記載の撮影装置。  
【請求項３】
前記検出手段は、単位時間あたりの電圧降下量が予め定めた値を超えた時に前記電池が離脱状態であることを検出することを特徴とする請求項１または請求項２に記載の撮影装置。
【発明の詳細な説明】
【技術分野】
【０００１】
本発明は、撮影装置に係り、特に、電池等の主電源の他に副電源を内蔵することが可能な撮影装置に関する。
【背景技術】
【０００２】
ＣＣＤ等の撮像素子によって被写体を撮影し、撮影によって得られたアナログの画像信号をデジタルの画像データに変換した後に、スマートメディア（R）等の情報記憶媒体に記憶させる構成のデジタルスチルカメラ（以下、ＤＳＣと略す）は、撮影した画像をその場で表示装置に表示させることで、撮影結果をその場で確認できるという特徴があり、近年急速に普及してきている。
【０００３】
ところで、電子機器であるＤＳＣは電源を必要とし、電源容量が少なくなると撮影を継続することができなかったり、ＤＳＣの設定が初期化されたりすることがあった。
【０００４】
そこで、ＤＳＣの設定を簡便にするものとして、ＤＳＣに受信装置を備えて、電源投入時に現在時刻を受信して、自動的に時刻を設定するＤＳＣがある（例えば、特許文献１を参照）。このＤＳＣでは、電池交換等の後にＤＳＣの再設定（時計）をする必要がなく、電源投入と同時に正確な時間を設定することができる。
【０００５】
また、２つの電池電源を備え、一方の電池電源から電力を供給することが不可能になった場合に、もう一方の電池電源に切換える撮像装置が知られている（例えば、特許文献２を参照）。
【０００６】
さらに、絞り用のバックアップ電池を有した撮像装置が提案されている（例えば特許文献３参照）。この技術ではＣＣＤの絞りが開放されたままの状態で撮像装置への通電が遮断されると、絞りの退色を招くことを回避するために、バックアップ電池により絞りを駆動させている。したがって絞りの退色を防ぐことが可能となり、撮影素子寿命の劣化を防ぐことができる。
【特許文献１】特開２００１−２９８６４３号公報
【特許文献２】特開２００１−１４５２７７号公報
【特許文献３】特開平６−８２８７２号公報
【発明の開示】
【発明が解決しようとする課題】
【０００７】
しかしながら、ユーザが、様々なシャッターチャンスで撮影を試みているときに、不用意に主電源がはずれた場合、ＤＳＣでは撮影中の画像データを記憶できなかったり、画像データが破壊されたりするような、撮影処理を完了できない状態を生じる場合がある。
【０００８】
本発明は、上記事実を考慮してなされたもので、撮影中に主電源が外れても撮影処理を完了することができる撮影装置を提供することを目的とする。
【課題を解決するための手段】
【０００９】
上記目的を達成するために、本発明の撮影装置は、装置本体を駆動させるために着脱可能な電池で構成された主電源が装置本体から離脱したことを検出する検出手段と、撮影処理を完了するまでに必要な、予め定めた容量を少なくとも有する副電源と、前記装置本体を駆動させるための電源として主電源を副電源に切り換える切換手段と、前記電池が装置本体から離脱したことを検出されると、主電源を副電源に切り換えるように切換手段を制御する切換制御手段と、からなることを特徴としている。
【００１０】
本発明の撮影装置は電池で構成された主電源が着脱可能になっており、装置本体からの主電源の離脱を検出手段で検出する。電源の離脱が検出されると、切換制御手段は、切換手段を制御して撮像装置を駆動させるための電源を主電源から副電源に切り換える。副電源は撮影処理を完了するまでに必要な、予め定めた容量を少なくとも有しており、主電源が装置本体から離脱しても、撮影処理を完了できる。
【００１１】
請求項２に記載の発明は請求項１に記載の撮影装置において、前記副電源は画像処理、画像転送、メモリ書き込み処理の少なくとも一つの処理に必要な、予め定めた容量を少なくとも有することを特徴とする。
【００１２】
撮影処理の代表的なものとしては例えば画像処理、画像転送、メモリ書き込み処理の３つがある。これらの途中で、電源が遮断されると、撮影した画像データに破壊などの不具合を生じることがある。従って、これら３つの処理に必要な容量を確保することで、代表的な撮影処理を完了できる。そこで、これら３つの処理のいずれかの処理に必要な容量を確保することで、撮影処理のうち、対応する代表的な撮影処理について確実に完了できる。
【００１３】
請求項３に記載の発明は、請求項１または請求項２に記載の撮影装置において、前記検出手段は、単位時間あたりの電圧降下量が予め定めた値を超えた時に前記電池が離脱状態であることを検出することを特徴とする。
【００１４】
主電源が装置本体から離脱した場合、装置本体を駆動するための電源電圧は、急激に電圧降下する。この電圧降下量は、通常の負荷変動に比べて、大きくなる。すなわち、単位時間当りの電圧変動量がおおきくなる。このため、単位時間当りの電圧降下量として、予め求めておいた、装置本体から主電源が離脱するときの電圧降下量を、検出手段に設定することで、装置本体から主電源が離脱したことを確実に検出することができる。
【発明の効果】
【００１５】
以上説明したように、本発明の撮影装置によれば、撮影のときに主電源が離脱しても副電源により撮影処理を完了することができる、という効果がある。
【発明を実施するための最良の形態】
【００１６】
以下、図面を参照して本発明の実施の一例を詳細に説明する。
【００１７】
デジタルカメラ１０は、図１（Ａ）に示すように、筐体１２を備え、前面にレンズ１４、上面にレリーズボタン１６を備える。また、図１（Ｂ）に示すように、背面に液晶ディスプレイ（以下「ＬＤＣ」という）１８、電源ＳＷ２４、及び、その他各種の入力を行うための複数の入力キー２６を備える。
【００１８】
また、本実施の形態では、レリーズボタン１６が押下されると、ＡＥ（Automatic  Exposure、自動露出）機能が働いて露出状態（シャッタースピード、絞りの状態）が設定された後、ＡＦ（Auto  Focus、自動合焦）機能が働いて合焦制御され、その後、撮像処理が行われる撮影処理が実行される。
【００１９】
また、デジタルカメラ１０の内部にはデジタルカメラ１０の電力供給源となる主電源７８が取り付け可能に構成されている。すなわち、デジタルカメラ１０の内部には主電源７８を内蔵することが可能な空間が設けられており、主電源７８はその空間内に収容される。主電源７８はその空間への収容及び空間からの離脱、すなわち着脱可能とされている。また、主電源７８がデジタルカメラ１０に収容された状態を維持するために、デジタルカメラ１０の下方にカバー２０が設けられている。カバー２０は開放状態と閉塞状態の各状態へ移行可能とされており、閉塞状態では主電源７８をデジタルカメラ１０の内部に収容維持できるようになっている。また開放状態では主電源７８をデジタルカメラ１０から取り外すことが可能になっている。なお上記閉塞状態では。カバー２０による閉塞を維持できるよう、ロック機構（図示省略）を備えることが好ましい。
【００２０】
さらに、デジタルカメラ１０の内部には副電源７６が設けられている。この副電源７６は、主電源に代わってデジタルカメラ１０の電力供給源とすることが可能なものであり、撮影処理を完了するのに充分な容量が確保される。本実施の形態では、充分な容量確保のための撮影処理として、画像処理、画像転送、及び、撮像した画像データのメモリ書き込み処理を含む一連の処理を採用する。なお、これらの画像処理、画像転送、及びメモリ書き込み処理は何れか一つでもよく、それ以上でもよい。また、上記３つの処理に限定されるものではなく、ユーザにとって、撮影処理として完了させることを望む他処理（例えば、一定時間の撮影画像表示処理）を含むことができる。したがって、副電源７６はこれら撮影処理に必要な容量を有し、デジタルカメラ１０への電力供給源を主電源から副電源に切り換えても撮影処理を完了できる。
【００２１】
図２にデジタルカメラ１０の制御系の概略ブロック図を示す。デジタルカメラ１０には、レンズ１４を通過する光量を調節する絞り３２、光の通過時間を調整するシャッタ３４、及び、光を光電交換してアナログ画像信号を出力するＣＣＤ３６が備えられている。
【００２２】
ＣＣＤ３６はアナログ信号処理部３８と接続され、アナログ信号処理部３８はアナログ／デジタル変換機（以下、「Ａ／Ｄ変換機」という）４０と接続され、Ａ／Ｄ変換機４０はデジタル信号処理部４２と接続されている。アナログ信号処理部３８は、ＣＣＤ３６から入力された信号に対して所定のアナログ信号処理を施す。Ａ／Ｄ変換機４０は、アナログ信号処理部３８から入力されたアナログ信号をデジタル信号に変換してデジタル信号処理部４２へ出力する。デジタル信号処理部４２は、入力されたデジタル信号に対して各種の処理を行い、デジタル画像データを生成する。
【００２３】
デジタルカメラ１０には、ＣＰＵ５０、内部メモリ５２、表示制御部５４、記録制御部５６が備えられている。前述のデジタル信号処理部４２、ＣＰＵ５０、内部メモリ５２、表示制御部５４、記録制御部５６はバス５９を介して相互に接続されている。
【００２４】
ＣＰＵ５０は各種のプログラムを実行するなどしてデジタルカメラ１０全体の制御を行う。ＣＰＵ５０は、電源ＳＷ２４、入力キー２６、レリーズボタン１６、と接続されており、これらの各部から各種の指示が入力され、対応する処理ルーチンが実行される。
【００２５】
内部メモリ５２にはデジタル信号処理部４２で生成されたデジタル画像データ、デジタルカメラ１０の制御用の各種プログラムが記憶されている。記録制御部５６は外部メモリ６０と接続可能とされており、外部メモリ６０へデジタル画像データを書き込む処理、及び、外部メモリ６０からデジタル画像データを読み出す処理を実行可能とされている。表示制御部５４はＬＣＤ１８と接続されており、ＬＣＤ１８へ画像等を表示するための所定の処理を行う。
【００２６】
さらに、デジタルカメラ１０には、レンズ１４を駆動させるためのレンズ駆動部６２、絞り３２を駆動させるための絞り駆動部６４、シャッタ３４を駆動させるためのシャッタ制御部５６、及び、ＣＣＤ３６に対する撮影時のタイミング制御を行うＣＣＤ制御部５８が備えられている。レンズ駆動部６２、絞り駆動部６４、シャッタ駆動部５６、及び、ＣＣＤ制御部５８は、ＣＰＵ５０に接続されている。
【００２７】
上記バス５９には電源供給可能な電源線５９Ａが含まれている。電源線５９Ａは主電源７８と接続されており、主電源７８から電源線５９Ａに電力が供給される。この電源線５９Ａからデジタル信号処理部４２、表示制御部５４、内部メモリ５２、記録制御部５６、ＣＰＵ５０に電力が供給される。なお、図示は省略したが、デジタルカメラ１０内の他の電子機器やパーツ等の電力を必要とするデジタルカメラ１０の部品にも主電源７８から電力が供給される。
【００２８】
電源線５９Ａは検出手段２２を介してＣＰＵ５０に接続されている。検出手段２２は主電源７８が離脱したときの電圧降下を検知して主電源７８がデジタルカメラ１０から離脱したことを検出するものである。この検出手段２２の作動を詳細に説明する。図５は、デジタルカメラ１０の電圧降下についての説明図であり、図５（Ａ）は主電源７８がデジタルカメラ１０に装着されているとき、図５（Ｂ）は主電源７８がデジタルカメラ１０から離脱したときを示している。この場合、単位時間あたりの電圧降下量である電圧降下率Ｆは、次式で表すことができる。
Ｆ＝ｄＶ／ｄｔ
但し、ｄＶは電圧降下量、ｄｔは単位時間である。
【００２９】
図５（Ａ）は、主電源７８がデジタルカメラ１０に取り付けられた場合に、任意の作動が発生したときの電圧変動の一例を示している。すなわち、安定供給された電圧Ｖ0、時間ｔ0の状態で作動負荷が発生すると、一時的な電圧降下が起こり、そして復帰する。この時、時間ｔ0から単位時間後の時間ｔ1では、電圧Ｖ0から電圧Ｖ1に変動している。従って、通常の作動負荷における電圧降下率Ｆ1は、次式で表すことができる。
Ｆ1＝（Ｖ0−Ｖ1）／（ｔ1−ｔ0）
【００３０】
一方、図５（Ｂ）では、主電源７８がデジタルカメラ１０に取り付けられて、安定供給された電圧Ｖ0の状態から、この主電源７８が離脱したときの電圧変動の一例を示している。すなわち、安定供給された電圧Ｖ0、時間ｔ0の状態で、主電源７８がデジタルカメラ１０から離脱すると、急激な電圧降下が生じる。この時、時間ｔ0から単位時間後の時間ｔ1では、電圧Ｖ2に変動している。従って、電源供給が停止したときの作動負荷における電圧降下率Ｆ2は、次式で表すことができる。
Ｆ2＝（Ｖ0−Ｖ2）／（ｔ1−ｔ0）
【００３１】
ここで、主電源７８が離脱したときの電圧変動が、通常の負荷変動に比べて大きいことから、電圧降下率は、Ｆ1＜Ｆ2の関係になる。従って、電圧降下率Ｆ2を検出できれば、主電源７８の離脱を検出することができる。そこで、本実施の形態では、電圧降下率Ｆ2に対応して、時間（ｔ1−ｔ0）を単位時間Ｔとして単位時間Ｔ当りの電圧降下量ｄＶｘ（＝Ｖ0−Ｖ2）を主電源７８の離脱の検出基準値と定める。この電圧降下量ｄＶｘを検出手段２２に設定して、単位時間Ｔで電圧降下量を検出手段が検出すると、主電源７８がデジタルカメラ１０から離脱したことを、検出することができる。
【００３２】
検出手段２２によって電圧降下量ｄＶｘが検出されると、検出手段２２からＣＰＵ５０に検出信号が出力される。
【００３３】
ＣＰＵ５０は切換制御部７２を介して切換手段７４の端子７４Ｇに接続されている。切換手段７４には端子７４Ａ、端子７４Ｂ、及び端子７４Ｇが設けられており、切換制御部７２から入力される切換信号により、端子７４Ａと端子７４Ｂが導通される。端子７４Ａは副電源と接続されており、端子７４Ｂは電源線５９Ａと接続されている。
【００３４】
切換制御部７２は、切換手段７４を制御するものであり、ＣＰＵ５０から出力される制御信号を受信すると、切換手段７４に切換信号を出力する。
【００３５】
上記の本実施の形態のデジタルカメラ１０は、本発明の撮影装置に対応する。また、検出手段２２は本発明の検出手段に対応し、主電源７８は本発明の主電源に対応し、副電源７６は本発明の副電源に対応する。さらに、切換制御部７２は本発明の切換制御手段に対応し、切換手段７４は本発明の切換手段に対応する。
【００３６】
次に、本実施形態の作用について説明する。
【００３７】
ユーザがデジタルカメラ１０で被写体を撮影する際には、まず、電源ＳＷ２４の押圧により、デジタルカメラ１０の電源がオンされる。この電源オンにより、ＣＰＵ５０からレンズ駆動部６２へレンズ駆動の指示がなされ、レンズ１４が筐体１２の外側へ突出される。
【００３８】
また、ＣＰＵ５０からＣＣＤ制御部５８へＣＣＤ制御の指示がなされ、ＣＣＤ３６は所定のタイミングで被写体からの光を受け取って光電変換し、光電変換して得られるアナログ信号をアナログ信号処理部３８へ出力する。アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ、デジタル画像データが生成される。画像の取り込みによって得られたデジタル画像データは、内部メモリ５２に記憶され、さらに、表示制御部５４へ出力され、表示制御部５４により所定の処理が行われて、デジタル画像データに基づく画像がＬＣＤ１８に表示される。
【００３９】
そして、レリーズボタンが押下されると、ＣＰＵ５０では、図３に示す撮影処理が実行される。まず、ステップ１００でＡＥ処理が行われ、ステップ１０２でＡＦ処理が行われる。そしてステップ１０４で撮像処理が行われ、画像が取り込まれる。その後ステップ１０６でデータ記録処理が行われる。これによって、デジタルカメラ１０で撮影されたシーンの画像データが外部メモリ６０や、内部メモリ５０に記憶される。
【００４０】
本実施の形態では、ＣＰＵ５０は図３に示す撮影処理中に、検出手段２２からの検出信号を受付けることが可能になっている。つまり、ＣＰＵ５０は、図３の処理中に割り込み処理をすることができる。すなわちＣＰＵ５０は検出手段２２からの検出信号を受信すると、図４の割り込み処理ルーチンを実行する。図４のステップ１０８では電源切換指示信号を出力する。
【００４１】
すなわち、検出手段２２は常時、電源線５９Ａの電圧検出を行っている。主電源７８がデジタルカメラ１０から離脱されると、電源線５９Ａ上では電圧降下が急激になる。この電圧降下を検出手段２２が検出する。すなわち主電源７８の離脱状態として、検出手段２２は単位時間Ｔにおける電圧降下量ｄＶｘ（＝Ｖ0−Ｖ2）を検出する。この電圧降下量ｄＶｘの検出により、検出手段２２はＣＰＵ５０に検出信号を出力する。ＣＰＵ５０は検出手段２２から検出信号を受信すると、ステップ１０８において、切換制御部７２に制御信号を出力する。切換制御部７２は、制御信号が入力されると、切換手段７４に切換信号を出力する。切換手段７４は切換信号の入力によって、副電源７６と電源線５９Ａを導通状態にする。これによって副電源７６から電源線５９Ａに電源が供給される。このような検出手段２２の検出から副電源７６の電源供給までは、極めて短時間に実行される。
【００４２】
このように切り換えられた電力源としての副電源７６は、撮影処理を完了するまでに必要な容量を有している。これによって、主電源７８から副電源７６に電力供給源が切り換わっても、電力供給が遮断されることはない。すなわち、デジタルカメラ１０の電圧（電源線５９Ａ）は、図５（Ｂ）で示す時間ｔ1の時点で瞬時に副電源７６からの電力供給に切り換わる。このため、電源電圧が大幅に電圧Ｖ2より下まわることなく、副電源７６の電力供給が開始される。従って、撮影処理を完了するのに充分な電力が副電源７６から供給されるので、撮影処理の途中であっても、電源遮断による処理中断が発生することなく、撮影処理を完了できる。
【００４３】
つまり、撮影処理中に、主電源７８がデジタルカメラ１０から離脱しても即座に副電源７６からの供給がなされるため、撮影処理を完了することができる。
【図面の簡単な説明】
【００４４】
【図１】デジタルカメラの（Ａ）は前面図であり、（Ｂ）は背面図である。
【図２】デジタルカメラの制御系の概略ブロック図である。
【図３】デジタルカメラ内の制御を表すフローチャートである。
【図４】電源供給切換時のフローチャートである。
【図５】主電源が装置本体から離脱したときの電圧変化図である。
【符号の説明】
【００４５】
１０  デジタルカメラ
７８  主電源
２２  検出手段
７６  副電源
７４  切換手段
７２  切換制御手段
【図１】
2006080718.tif 000003
【図２】
2006080718.tif 000004
【図３】
2006080718.tif 000005
【図４】
2006080718.tif 000006
【図５】
2006080718.tif 000007